【事件の表示】
　特許第３２０１３８７号「キースイッチ装置」の請求項１及び２に係る特許に対する特許異議の申立てについて、次のとおり決定する。
【結　論】
　訂正を認める。
　特許第３２０１３８７号の請求項１及び２に係る特許を維持する。
【理　由】
１．手続の経緯
　特許第３２０１３８７号の請求項１及び２に係る発明についての出願は、平成４年７月１７日に出願した特願平４−２１３３５６号の一部を平成１１年５月１８日に新たな特許出願としたものであって、平成１３年６月２２日にその発明について特許権の設定登録がなされ、その後、片山雄次郎により特許異議の申立てがなされ、取消しの理由が通知され、その指定期間内である平成１４年７月５日に訂正請求がなされたものである。
　
２．訂正の適否
（１）訂正の内容
　特許権者が求めている訂正の内容は以下ａ及びｂのとおりである。
ア．訂正事項ａ
　請求項１の中の、「前記第２係止部に摺動係止される第２係止部材及び第４係止部に回動係止される第４係止部材が形成された第２リンク部材を有し」を「
係止溝の下部位置に下方に向かって拡がる斜面を形成してなる係止案内部を設けた
の該係止溝
、
イ．訂正事項ｂ
　発明の詳細な説明の段落番号【００１７】の記載中の、「前記第２係止部に摺動係止される第２係止部材及び第４係止部に回動係止される第４係止部材が形成された第２リンク部材を有し」を「
係止溝の下部位置に下方に向かって拡がる斜面を形成してなる係止案内部を設けた
の該係止溝
、
（２）訂正の目的の適否、新規事項の有無、及び特許請求の範囲の拡張・変更の存否
ア．訂正事項ａについては、請求項１に記載された「第２係止部に摺動係止される第２係止部材」を「係止溝の下部位置に下方に向かって拡がる斜面を形成してなる係止案内部を設けた前記第２係止部の該係止溝に摺動係止される第２係止部材」と訂正しようするものであって、第２係止部の構成を限定するものと認められる。
　上記訂正事項ａに関連する記載として、願書に添付した明細書及び図面（以下、「特許明細書」という。）の発明の詳細な説明の段落番号【００２６】には、「係止部４３の係止溝４５の下部位置には、下方に向かって拡がる斜面を形成してなる係止案内部４５Ａが設けられており、かかる係止案内部４５Ａは、リンク部材４８の係止ピン６３、６４を係止溝４５内にスナップインする際に係止溝４５に向かって案内するものである。」と記載されているのであるから、上記「係止溝の下部位置に下方に向かって拡がる斜面を形成してなる係止案内部を設けた前記第２係止部の該係止溝に摺動係止される第２係止部材」を含む発明は特許明細書に記載されているものと認められる。
　そうすると、上記訂正事項ａは、特許明細書に記載された範囲内において第２係止部の構成を限定したものといえるから、特許請求の範囲の減縮を目的とした明細書の訂正に該当するものであって、新規事項の追加に該当しない。
イ．訂正事項ｂは、訂正事項ａによって請求項１を訂正することに伴い、発明の詳細な説明を訂正後の請求項１に整合を図るものであるから、明りょうでない記載の釈明を目的とした明細書の訂正に該当するものであって、新規事項の追加に該当しない。
　そして、訂正事項ａ及びｂのいずれも、実質上特許請求の範囲を拡張し、又は変更するものでない。
（３）むすび
　以上のとおりであるから、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議申立について
（１）本件発明
　上記２．で示したように上記訂正が認められるから、特許第３２０１３８７号の請求項１に係る発明（以下、本件発明１という。）、及び請求項２に係る発明（以下、本件発明２という。）は、訂正明細書及び図面の記載からみて、それぞれ訂正明細書の請求項１及び２に記載された次のとおりのものと認める。
（本件発明１）
「裏面に第１係止部及び第２係止部が形成され、所定上下幅を有するキートップと、
　前記キートップの第１係止部の下方位置に第４係止部、及び、キートップの第２係止部の下方位置に第３係止部が形成されたホルダ部材と、
　前記第１係止部に回動係止される第１係止部材及び第３係止部に摺動係止される第３係止部材が形成された第１リンク部材、及び、
　係止溝の下部位置に下方に向かって拡がる斜面を形成してなる係止案内部を設けた前記第２係止部の該係止溝に摺動係止される第２係止部材、及び第４係止部に回動係止される第４係止部材が形成された第２リンク部材を有し、
　前記キートップの上下動を案内支持する案内支持部材と、前記キートップの上下動に伴って、スイッチング動作を行なうスイッチング部材とを備えたキースイッチ装置であって、
　前記キートップは、前記第１係止部側で前記所定上下幅よりも大きな上下幅に形成されており、前記第１係止部は、下方が開放された係止溝を有する樹脂片から構成されるとともに、係止溝の上部には係止溝に連続する切り込み部が形成され、前記第１リンク部材の第１係止部材は、前記切り込み部に基づき樹脂片に発生する樹脂弾性を利用して係止溝に回動可能に係止されることを特徴とするキースイッチ装置。」
（本件発明２）
「前記キートップの非押下状態において、前記第１リンク部材の第１係止部材と前記第２リンク部材の第２係止部材とが同じ高さに保持されていることを特徴とする請求項１記載のキースイッチ装置。」
（２）特許異議申立ての概要
　特許異議申立人・片山雄次郎は、証拠方法として
甲第１号証（実願平２−１１９８５４号（実開平４−７６２２４号）の願書に添付した明細書及び図面の内容を撮影したマイクロフイルム）、
甲第２号証（特開平４−４５３１号公報）、
甲第３号証（実願平１−６７９２６号（実開平３−７２２９号）の願書に添付した明細書及び図面の内容を撮影したマイクロフイルム）
を提出し、
本件の請求項１及び２に係る発明は、甲第１〜３号証に記載された発明に基づいて当業者が容易に発明をすることができたものであり、特許法第２９条第２項の規定により特許を受けることができないものであるから、本件発明１及び２についての特許は拒絶の査定をしなければならない特許出願に対してされたものと認められ、
特許法等の一部を改正する法律（平成６年法律第１１６号）附則第１４条の規定に基づく、特許法等の一部を改正する法律の一部の施行に伴う経過措置を定める制令（平成７年政令第２０５号）第４条第２項の規定により、取り消されるべきものである旨主張していると認める。
（３）引用刊行物
　当審が通知した取消しの理由では刊行物１として特許異議申立人の提出した甲第１号証、刊行物２として同甲第２号証、及び刊行物３として実願昭６３−８１７４１号（実開平２−５２３６号）の願書に添付した明細書及び図面の内容を撮影したマイクロフイルムを引用した。
　刊行物１（甲第１号証）には、「ハウジング１２は、基板１１からキートップ２５に向けて突出した嵌合部としての案内筒１３と、この案内筒１３を中心にして略対称配置に上部を内向きに曲げて一体に突設した４箇所のストッパ１４ａ、１４ａ、１４ｂ、１４ｂとを備え、」（第５頁第２０行目〜第６頁第４行目）「各ストッパ１４ａ，１４ｂは支持リンク１５、１６の対応する脚部１９、２０の凸端１９ａ、２０ａが摺動自在に嵌合する間隙１４ｃ、１４ｄを形成している。一対の支持リンク１５、１６は、キートップ２５を基板１１に対し接離自在に先端の支持軸１７ａ、１８ａで支持する斜め上向きのアーム１７，１８と、」（第６頁第８行目〜同頁第１６行目）「キートップ２５は、下向き切欠き２６ａを有し内面側に対称配置に設けた支持軸受け２６と、」（第７頁第１９行目〜同頁第２０行目）「両支持軸１７ａ，１８ａが相互に略対称配置の姿勢を保持しつつ開脚する方向に回動し、キートップ２５に突設したキーステム２７の先端の可動接点２７ｂが基板１１に設けてある固定接点１１ａに接触してスイッチオンとなる。」（第８頁第１４行目〜同頁第１９行目）と記載されている。
　また、刊行物２（甲第２号証）には、「保持部２１は一対の保持ブロック２１Ａ、２１Ｂから構成され、外側に位置する保持ブロック２１Ｂはキートップ１０の内壁面と一体である（内壁面から突出している）。また、内側に位置する保持ブロック２１Ａは外側保持ブロック２１Ｂから所定の間隔ｄを持ってキートップ１０の底面から垂れ下がるようにして形成される。　各保持ブロック２１Ａ、２１Ｂはその対向する面（内面）に断面半円形の凹所２３Ａ、２３Ｂを有し、これら凹所２３Ａ，２３Ｂ間に円形の線材であるリングバー１３を抱持する。」（第３頁左上欄第８行目〜同頁同欄第１８行目）「保持部材２１はキートップと一体的にモールド成形する」（第３頁右上欄第１行目〜第２行目）と記載されている。
　さらに、刊行物３には、「上ホルダー２の上側一端部に後記するＸ枠体３の一方の上部を嵌着する溝部２ｂを形成するとともに上側他端部にＸ枠体３の他方の上部がスライドし得る如く段部を有する平坦部２ｃを形成する。・・・（中略）・・・そして外側の矩形枠体３ａの上部は上ホルダー２の溝部２ｂにスライドすることなく固定的に装着されており、また内側の矩形状枠体３ｂの上部は段部を有する平坦部２ｃにスライド自在に支持されている。・・・（中略）・・・Ｘ枠体３の内側の矩形状枠体３ｂの脚部３ｇをプリント基板５上に回動自在に固定するために断面下向きコ字型の第１下ホルダー６で固定する。またＸ枠体３の外側の矩形枠体３ａの脚部３ｈをプリント基板５上にスライド自在に保持するために断面下向きコ字型の第２下ホルダー７で保持する。」（第５頁第４行目〜第６頁第９行目）と記載されている。
（４）対比・判断
ア．請求項１に係る発明（本件発明１）について
　本件発明１と刊行物１に記載の発明（以下、引用発明１という。）とを対比すると、両者は、少なくとも、本件発明１が、係止溝の下部位置に下方に向かって拡がる斜面を形成してなる係止案内部を設けた前記第２係止部の該係止溝に摺動係止される第２係止部材を有しているのに対して引用発明１においては、その様な斜面を有していない点で相違している。　
　
　そこで上記相違点につき検討する。
　上記相違点の構成は係止溝の下部位置に下方に向かって拡がる斜面を形成してなる係止案内部を第２係止部に設けるものであり、かかる係止案内部は、第２リンク部材の係止ピン（第２係止部材）を係止溝内にスナップインする際に係止溝に向かって案内するもの（発明の詳細な説明の段落番号【００２６】参照）であって、当該斜面を形成する係止案内部は、上記引用した刊行物１〜３には記載されておらず、示唆もされていない。
　また、特許異議申立人の提出した甲第３号証にも、当該斜面を形成する係止案内部は記載も示唆もされていない。
　そして、本件発明１は、係止案内部により、明細書記載の第２リンク部材の第２係止部材を係止溝内にスナップインする際に係止溝に向かって案内するという効果を奏するものである。
　してみると、本願発明１は、上記刊行物１〜３又は甲第３号証に記載された発明に基づいて当業者が容易に発明をすることができたものとすることはできない。
イ．請求項２に係る発明（本件発明２）ついて
　本件発明２は、本件発明１の構成要件を全て含み、さらに他の構成要件を付加したものであるから、上記３．（４）ア．で記載したと同様の理由により、刊行物１〜３および甲第３号証に記載された発明に基づいて当業者が容易に発明をすることができたものとすることはできない。
（５）むすび
　以上のとおりであるから、請求項１及び２に係る発明の特許は、特許異議申立ての理由及び証拠方法によっては取り消すことはできない。
　また、他に請求項１及び２に係る発明の特許を取り消すべき理由を発見しない。
　したがって、本件の請求項１及び２に係る発明についての特許は、拒絶の査定をしなければならない特許出願に対してされたものとは認めない。
　よって、特許法等の一部を改正する法律（平成６年法律第１１６号）附則第１４条の規定に基づく、特許法等の一部を改正する法律の一部の施行に伴う経過措置を定める制令（平成７年政令第２０５号）第４条第２項の規定により、結論のとおり決定する。
【異議決定日】
平成１４年９月６日（２００２．９．６）
【訂正の要旨】
訂正の要旨
ア．訂正事項ａ
　請求項１の中の、「前記第２係止部に摺動係止される第２係止部材及び第４係止部に回動係止される第４係止部材が形成された第２リンク部材を有し」を「
係止溝の下部位置に下方に向かって拡がる斜面を形成してなる係止案内部を設けた
の該係止溝
、
イ．訂正事項ｂ
　発明の詳細な説明の段落番号【００１７】の記載中の、「前記第２係止部に摺動係止される第２係止部材及び第４係止部に回動係止される第４係止部材が形成された第２リンク部材を有し」を「
係止溝の下部位置に下方に向かって拡がる斜面を形成してなる係止案内部を設けた
の該係止溝
、
（５４）【発明の名称】
キースイッチ装置
（５７）【特許請求の範囲】
　【請求項１】　裏面に第１係止部及び第２係止部が形成され、所定上下幅を有するキートップと、
　前記キートップの第１係止部の下方位置に第４係止部、及び、キートップの第２係止部の下方位置に第３係止部が形成されたホルダ部材と、
　前記第１係止部に回動係止される第１係止部材及び第３係止部に摺動係止される第３係止部材が形成された第１リンク部材、及び、
　
係止溝の下部位置に下方に向かって拡がる斜面を形成してなる係止案内部を設けた
の該係止溝
、
　前記キートップの上下動を案内支持する案内支持部材と、前記キートップの上下動に伴って、スイッチング動作を行なうスイッチング部材とを備えたキースイッチ装置であって、
　前記キートップは、前記第１係止部側で前記所定上下幅よりも大きな上下幅に形成されており、前記第１係止部は、下方が開放された係止溝を有する樹脂片から構成されるとともに、係止溝の上部には係止溝に連続する切り込み部が形成され、前記第１リンク部材の第１係止部材は、前記切り込み部に基づき樹脂片に発生する樹脂弾性を利用して係止溝に回動可能に係止されることを特徴とするキースイッチ装置。
　【請求項２】　前記キートップの非押下状態において、前記第１リンク部材の第１係止部材と前記第２リンク部材の第２係止部材とが同じ高さに保持されていることを特徴とする請求項１記載のキースイッチ装置。
【発明の詳細な説明】
　【０００１】
　【産業上の利用分野】
　本発明は、キートップを有し、そのキートップの上下動を案内支持する２つのリンク部材からなる案内支持部材をホルダプレート上に配設したキースイッチ装置に関し、特に、一方のリンク部材の上側係止部材を回動可能に係止するためキートップの裏面に形成された係止部を、係止溝を有する樹脂片から構成するとともに、その樹脂片の樹脂弾性を大きくすることにより、リンク部材の上側係止部材をキートップの係止部に対して簡単且つ確実に回動可能に係止することが可能なキースイッチ装置に関するものである。
　【０００２】
　【従来の技術】
　従来より各種のキースイッチ装置が提案されており、かかるキースイッチ装置においては、一般にキートップの裏面から垂設されたキーステムをホルダプレートに形成したキーホルダ部により上下に摺動案内する構成が採られていた。
　【０００３】
　このような構成のキースイッチ装置では、キーステムがキーホルダ部により摺動案内される部分を大きくすればキー操作性は向上するもののキーボードの薄型化には対応することができず、一方、キーボードの薄型化に対応すべくキーステムがキーホルダ部により摺動案内される部分を小さくすれば両者間に生じるこじれに起因してキー操作性が低下してしまうというジレンマが存在した。
　【０００４】
　本出願人は、このような従来のキースイッチにおけるジレンマを解消するためキーステムとキーホルダ部を無くし、キーボードの薄型化に対応できるとともにキー操作性の良好なキースイッチ装置を特願平３−３３０１６０号に添付した明細書及び図面において提案した。かかるキースイッチ装置を図９乃至図１１に示す。このキースイッチ装置の詳細な構成については特願平３−３３０１６０号の明細書及び図面を参照することとして、その概略について以下に説明する。
　【０００５】
　図９において、樹脂製のキートップ１は、その裏面に設けられた２つの係止部２、３（各係止部２、３はそれぞれ一対存在する）の係止孔４、係止溝５と樹脂製のホルダプレート２５の２つの係止部２６、２７（各係止部２６、２７はそれぞれ一対存在する）の係止溝２８、係止孔２９との間に配設された案内支持部材６（２つの樹脂製のリンク部材７、８からなり、リンク部材７の一端に設けられた係止ピン１３、１４が係止孔４に、他端に設けられた係止ピン１５、１６が係止溝２８に係止されており、リンク部材８の一端に設けられた係止ピン２３、２４が係止溝５に、他端に設けられた係止ピン２１、２２が係止孔２９に係止されている）により上下動案内される。
　【０００６】
　そして、両リンク部材７、８の軸支部Ａが、支持板３２上に支持されるフレキシブル回路基板３０上に載置されたラバースプリング３１の頂部に配置され、キートップ１を押下することにより軸支部Ａを介してラバースプリング３１を座屈させてスイッチング動作を行なうものである。
　【０００７】
　ここに、リンク部材７は、図１０に示すように、基部９の両端に２つの基端部１０、１１を一体に形成してなるものである。基部９の中央部の一側面からは軸１２が延設されており、かかる軸１２は後述する他方のリンク部材８に形成された軸孔２０に軸支される。また、基端部１０の両端延部１０Ａの側面からは、係止ピン１３、１４が延設されており、この係止ピン１３、１４は前記したキートップ１の係止部２に穿設された係止孔４に係止されるものである。更に、基端部１１は平面視でコ字状に形成されており、コ字状の両端延部１１Ａの側面からは前記と同様の係止ピン１５、１６が延設されている。かかる係止ピン１５、１６はホルダプレート２５に形成された係止部２６に係止される。
　【０００８】
　また、リンク部材８は、図１１に示すように、基部１７の両端に２つの基端部１８、１９を一体に形成してなるものである。基部１７の中央部には軸孔２０が穿設され、この軸孔２０には前記のようにリンク部材７の基部９に設けられた軸１２が挿通される。また、基端部１８は平面視コ字状に形成されており、コ字状の両端延部１８Ａからは係止ピン２１、２２が延設されている。この係止ピン２１、２２はホルダプレート２５に形成された係止部２７に係止される。
　【０００９】
　更に、基端部１９の両端延部１９Ａから前記と同様の係止ピン２３、２４が延設されており、かかる係止ピン２３、２４は前記したキートップ１の係止部３に形成された係止溝５に摺動可能に係止されるものである。
　【００１０】
　前記したように、案内支持部材６は、一方のリンク部材７の基部９に形成された軸１２を他方のリンク部材８の基部１７に穿設した軸孔２０に挿通して構成されるものであり、両リンク部材７、８は軸１２と軸孔１７とよりなる軸支部Ａを介して相互に回動可能となる。かかるキースイッチ装置によればキーボードの薄型化に対応しつつキー操作性の良好なキースイッチ装置が実現されるものである。
　【００１１】
　【発明が解決しようとする課題】
　しかしながら、前記特願平３−３３０１６０号の明細書及び図面に記載されたキースイッチ装置では、ホルダプレート２５と２つのリンク部材７、８からなる案内支持部材６との組立、及び、案内支持部材６とキートップ１との組立を簡便、且つ、容易に行なうことができないという問題があった。
　【００１２】
　即ち、前記キースイッチ装置を組み立てるには、先ず、リンク部材７とリンク部材８とを交差状に組み立てて案内支持部材６とした後、リンク部材８の基端部１８における両係止ピン２１、２２をホルダプレート２５の係止部２７の係止孔２９に圧入する。このとき、かかる係止ピン２１、２２の係止孔２９に対する圧入は、端延部１８Ａ、各係止ピン２１、２２相互の樹脂弾性を利用して行なわれるが、各係止ピン２１、２２を係止孔２９に位置決めするのは困難であり、それ故圧入作業が不安定となり易いものである。従って、この圧入作業はかなり煩雑なものであった。
　【００１３】
　また、リンク部材７の基端部１１における係止ピン１５、１６を係止部２６の係止溝２８に圧入する。かかる場合においても圧入作業は端延部１１Ａ、係止ピン１５、１６相互の樹脂弾性を利用して行なわれることから、前記と同様、煩雑な作業であることは否めないものであった。
　【００１４】
　このように各リンク部材７、８とホルダプレート２５の各係止部２７、２６との連結作業が終了した後、次に、リンク部材７における各係止ピン１３、１４を係止部２の係止孔４へ圧入する作業、及び、リンク部材８における各係止ピン２３、２４を係止部３の係止溝５へ圧入する作業が行なわれる。かかる両圧入作業も各係止ピン１３、１４、２３、２４と各係止部２、３との相互における樹脂弾性を利用して行なわれることから、煩雑な作業となることは前記作業と同じであった。特に、キートップ１の係止部２に形成された係止孔４や係止部３に形成された係止溝５の周辺には、図９からも明らかなように、これらの樹脂弾性を大きくするような構成は何ら設けられておらず、係止部２や係止部３の樹脂弾性は小さいものである。従って、係止部２の係止孔４に対するリンク部材７の各係止ピン１３、１４の圧入作業、及び、係止部３の係止溝５対するリンク部材８の各係止ピン２３、２４の圧入作業は、かなり煩雑となることは否めないものである。
　【００１５】
　以上のように、前記特願平３−３３０１６０号の明細書及び図面に記載されたキースイッチ装置においては、案内支持部材６の各リンク部材７、８とホルダプレート２５、及び、キートップ１との各連結作業が全て各部材の樹脂弾性を利用して行なわれるものであり、また、各係止ピン１３等を各係止孔４等との位置合わせを行ないながら係止する必要があることから、キースイッチ装置の組立作業全体に渡って煩雑な圧入作業を行なう必要があるという問題があった。
　【００１６】
　本発明は前記従来技術の問題点を解消するためになされたものであり、案内支持部材を構成するリンク部材のうち第１リンク部材の上側の第１係止部材を回動可能に係止するために、キートップの裏面に形成された第１係止部を、係止溝を有する樹脂片から構成し、切り込み部を形成することにより、その樹脂片の樹脂弾性を大きくすることが可能になり、リンク部材の上側係止部材をキートップの係止部に対して、簡単且つ確実に回動可能に係止することが可能なキースイッチ装置を提供することを目的とする。
　【００１７】
　【課題を解決するための手段】
　前記目的を達成するため本発明に係るキースイッチ装置は、裏面に第１係止部及び第２係止部が形成され、所定上下幅を有するキートップと、前記キートップの第１係止部の下方位置に第４係止部、及び、キートップの第２係止部の下方位置に第３係止部が形成されたホルダ部材と、前記第１係止部に回動係止される第１係止部材及び第３係止部に摺動係止される第３係止部材が形成された第１リンク部材、及び、
係止溝の下部位置に下方に向かって拡がる斜面を形成してなる係止案内部を設けた
の該係止溝
、
　【００１８】
　【作用】
　前記構成を有する本発明では、キースイッチ装置の組立に際し、先ず、第１リンク部材と第２リンク部材とを相互に可動状態に配置した後、第１リンク部材の第３係止部材がホルダ部材の第３係止部に摺動係止され、また、第２リンク部材の第４係止部材がホルダ部材の第４係止部に回動係止される。
　【００１９】
　次に、各第１及び第２リンク部材上にキートップを載置しキートップを下方に軽く押圧すれば、第１リンク部材の第１係止部材がキートップの第１係止部に回動係止されるとともに、第２リンク部材の第２係止部材がキートップの第２係止部に摺動係止される。
　【００２０】
　このとき、キートップは第１係止部側で大きな上下幅に形成されていることから樹脂片の長さを大きくすることが可能となり、また、第１係止部は下方が開放された係止溝を有する樹脂片から構成されるとともに、係止溝の上部には係止溝に連続する切り込み部が形成されていることから、樹脂片の長さが大きいこととも相まって切り込み部に基づき樹脂片の樹脂弾性を大きくすることが可能となる。
　【００２１】
　従って、第１リンク部材の第１係止部材をキートップの第１係止部の係止溝に回動係止するに際して、樹脂片が有する大きな樹脂弾性を利用して、簡単且つ確実に回動係止することが可能となる。
　【００２２】
　前記のように組み立てられたキースイッチ装置によりスイッチング動作を行なう場合、キートップが押下される。キートップが押下されると、その押下に伴いキートップが案内支持部材を介して下方に案内される。かかるキートップの押下に従って、案内支持部材も下方に移動され、これにより、スイッチング部材を介してスイッチング動作が行なわれるものである。
　【００２３】
　【実施例】
　以下、本発明を具体化した一実施例に基づいて図面を参照しつつ詳細に説明する。図１は本実施例に係るキースイッチ装置の縦断面図であり、キートップ４１はＡＢＳ樹脂等の合成樹脂から成型されており、その上面にはアルファベット等の文字が印刷等により形成されている。
　【００２４】
　また、キートップ４１の裏面からは、２つの係止部４２、４３（それぞれの係止部４２、４３は紙面と垂直方向に各一対が存在し、図１中にはそれぞれの一方のみを示す）が下方に向けてキートップ４１本体と一体に設けられている。ここに、係止部４２側（図１における左側）におけるキートップ４１の上下幅は、図１に示すように、係止部４３側（図１における右側）における上下幅よりも大きくされている。
　【００２５】
　係止部４２（第１係止部）には、後述する２つのリンク部材４７、４８のうちの一方のリンク部材４７（第１リンク部材）の一端に形成された係止棒５３（第１係止部材）を回動可能に係止する係止溝４４が形成されており、また、係止部４３（第２係止部）には、他方のリンク部材４８（第２リンク部材）の一端に形成された係止ピン６３、６４（第２係止部材）を水平方向に摺動可能に係止する係止溝４５が形成されている。前記係止部４２は、図１に示すように、下方が開放された係止溝４４を有する一対の樹脂片４４Ｂから構成されており、また、係止溝４４の上部には、その係止溝４４に連続して切り込み部４４Ｃが形成されている。前記したように、係止部４２側でキートップ４１の上下幅は大きく形成されていることから、各樹脂片４４Ｂの長さを大きくすることが可能となり、また、係止溝４４上部に切り込み部４４Ｃが形成されていることから、各樹脂片４４Ｃの長さを大きくできることとも相まって切り込み部４４Ｃに基づき各樹脂片４４の樹脂弾性は大きくなる。
　【００２６】
　また、係止溝４４には、その係止溝４４に連続するとともに、下方に行くに従って除々に拡がるように開放された係止案内部４４Ａが形成されており、かかる係止案内部４４Ａは、リンク部材４７の係止棒５３を係止溝４４内にスナップインする際に係止溝４４に向かって案内するものである。更に、係止部４３の係止溝４５の下部位置には、下方に向かって拡がる斜面を形成してなる係止案内部４５Ａが設けられており、かかる係止案内部４５Ａは、リンク部材４８の係止ピン６３、６４を係止溝４５内にスナップインする際に係止溝４５に向かって案内するものである。
　【００２７】
　キートップ４１の下方には、キートップ１の上下動を案内支持する案内支持部材４６が配設されており、かかる案内支持部材４６は２つのリンク部材４７、４８から構成される。
　【００２８】
　一方のリンク部材４７は図２に示すように平面視コ字状に形成され、また、一対の板状体４９を有し、各板状体４９の一端間には係止棒５３が一体に形成されるとともに、各板状体４９のそれぞれの他端には係止ピン５５、５６（第３係止部材）が形成されてなるものである。かかる係止棒５３は、前記係止案内部４４Ａを介して係止部４２の係止溝４４内にスナップインされ、また、各係止ピン５５、５６は後述するホルダプレート６５に形成された係止部６６（第３係止部）に係止される。
　【００２９】
　また、各板状体４９の互いに対向する側における中央部位置からは、一対の軸体５２が相互に対向する位置に設けられている。これらの各軸体５２は後述する他方のリンク部材４８に形成された軸孔６０に軸支される。尚、リンク部材４７の係止棒５３と各係止ピン５５、５６は各軸体５２からの距離が等しくなるように構成されている。
　【００３０】
　更に、他方のリンク部材４８は、図３に示すように、一対の板状体５７を有し、各板状体５７の一端間には係止棒６１（第４係止部材）が一体に形成されるとともに、各板状体５７のそれぞれの他端には係止ピン６３、６４が形成されてなる。かかる係止棒６１の両端部は後述するホルダプレート６５の係止部６７（第４係止部）に係止され、また、各係止ピン６３、６４は前記係止案内部４５Ａを介して係止部４３の係止溝４５内にスナップインされる。
　【００３１】
　また、各板状体５７の外側において相互に対向する中央部位置には、それぞれ軸孔６０が形成されており、これらの各軸孔６０には前記リンク部材４７の各板状体４９に形成された各軸体５２が回動可能に嵌合される。これにより、両リンク部材４７、４８は各軸体５２及び軸孔６０を介して相互に交差して回動可能となるものであり、各軸体５２と軸孔６０とにより軸支部Ａが形成される。尚、リンク部材４８の係止棒６１と各係止ピン６３、６４は軸孔６０からの距離が等しくなるように構成されている。
　【００３２】
　更に、各板状体５７における中央部位置の間には、後述するラバースプリング７１上面に載置されるとともに、キートップ４１の押下時に各リンク部材４７、４８の相互の回動に伴ってラバースプリング７１を下方に押下する押下棒５８が設けられている。これにより、キートップ４１の押下に伴って押下棒５８がラバースプリング７１を押下してスイッチング動作を行なうものである。
　【００３３】
　次に、案内支持部材４６の下方には樹脂製のホルダプレート６５が配設されており、かかるホルダプレート６５には各スイッチ装置に対応して係止部６６、６７（各係止部６６、６７はそれぞれ各２つが設けられているが、図１には各１つの係止部６６、６７を示す）が形成されている。
　【００３４】
　係止部６６には、図１における右方（外方）を開放側とする摺動溝６８が形成されており、かかる係止部６６の摺動溝６８には前記リンク部材４７に形成された係止ピン５５、５６が挿嵌される。また、係止部６７には、係止部６６の摺動溝６８と同様、図１中右方を開放側とする摺動溝６９が形成されるとともに、摺動溝６９内において図１における右方側に傾斜面を有する係止突起６９Ａが形成されている。かかる係止部６７の摺動溝６９内には前記リンク部材４８に形成された係止棒６１の両端部が挿嵌される。また、ホルダプレート６５上において、両係止部６６、６７の間で、リンク部材４７における各板状体４９の外側面を案内する一対の案内壁７３（図４参照）が立設されている。
　【００３５】
　これにより、案内支持部材４６におけるリンク部材４７の係止ピン５５、５６及びリンク部材４８の係止棒６１を、それぞれ摺動溝６８と摺動溝６９の開放側からリンク部材４７の各板状体４９の外側面を各案内壁７３に案内させつつ、ホルダプレート６５上をスライドさせることにより、各係止ピン５５、５６及び係止棒６１が各摺動溝６８、６９内に挿嵌されるものである。そして、かかる挿嵌時に係止棒６１が摺動溝６９内の係止突起６９Ａを乗り越えた後においては、係止棒６１が摺動溝６９から外れてしまうことはなく、これより各係止棒６１及び係止ピン５５、５６はそれぞれ摺動溝６９、６８内で回動可能に保持されるものである。
　【００３６】
　前記のように構成されるホルダプレート６５の下方には、図４に示すように、各キースイッチに対応してスイッチ電極７０Ａが形成されたフレキシブル回路基板７０が配置されており、また、かかるスイッチ電極７０Ａに対応して逆カップ状のラバースプリング７１がフレキシブル回路基板７０上に載置されている。更に、回路基板７０上のスイッチ電極７０Ａに対向してラバースプリング７１の内頂壁には、可動電極７１Ａが固着されている。そして、ラバースプリング７１の上面には、前記リンク部材４８に形成された押下棒５８が配置されている。
　【００３７】
　これにより、キートップ４１の押下に伴って押下棒５８が下方に移動すると、ラバースプリング７１が押下棒５８により押下され、一定の押下量を越えるとラバースプリング７１が座屈されて可動電極７１Ａとフレキシブル回路基板７０上のスイッチ電極７０Ａとが当接することによりスイッチング動作が行なわれるものである。
　【００３８】
　また、フレキシブル回路基板７０の下方にはスイッチ支持板７２が配設されており、かかるスイッチ支持板７２はその上方に配設された各回路基板７０、ホルダプレート６５を支持するものである。
　【００３９】
　前記構成において、軸支部Ａの中心を通る垂線Ｌを基準として図１における左方側に存在するキートップ４１の裏面に形成された係止部４２及びホルダプレート４５に形成された係止部６７には、それぞれ係止棒５３を回動可能に係止する係止溝４４及び係止棒６１を係止突起６９Ａと協働して回動可能に係止する摺動溝６９が設けられていることになる。また、垂線Ｌの図１における右方側に存在するキートップ４１の裏面に形成された係止部４３及びホルダプレート６５に形成された係止部６６には、それぞれ係止ピン６３、６４及び係止ピン５５、５６を水平方向に摺動可能に係止する係止溝４５及び摺動溝６８が設けられていることになる。
　【００４０】
　続いて、前記のように構成されるキースイッチ装置の組立方法について図５乃至図８に基づき説明する。先ず、スイッチ支持板７２上にフレキシブル回路基板７０、ホルダプレート６５を載置するとともに、リンク部材４７の各軸体５２をリンク部材４８の各軸孔６０に嵌合して案内支持部材４６を組み立てる。
　【００４１】
　この後、各リンク部材４７、４８相互を回動させて図５に示す水平状態にし、リンク部材４７の係止ピン５５、５６、及び、リンク部材４８の係止棒６１を各係止部６６、６７における摺動溝６８、６９の開放側から各案内壁７３により案内させながらホルダプレート６５上で各摺動溝６８、６９内に向かってスライドさせる。そして、更にスライドさせると、リンク部材４８の係止棒６１は摺動溝６９内に形成された係止突起６９Ａを斜面側から乗り越える。この状態が図６に示されている。これにより、リンク部材４７の係止ピン５５、５６が摺動溝６８内にスライド挿入されて摺動可能に係止されると同時に、リンク部材４８の係止棒６１が摺動溝６９内で係止突起６９Ａを介して回動可能に係止されるものであり、これにて案内支持部材４６とホルダプレート６５との連結が終了する。
　【００４２】
　このように、リンク部材４８の係止棒６１と摺動溝６９との連結、及び、リンク部材４７の係止ピン５５、５６と摺動溝６８との連結は、案内支持部材４６を各摺動溝６８、６９の開放側からホルダプレート６５上でスライドさせることのみによってなされるので、案内支持部材４６とホルダプレート６５との連結が極めて簡単に行ない得るものである。このとき、案内支持部材４６はそのスライド時において各案内壁７３により案内されるので、案内支持部材４６が各摺動溝６８、６９から外れてしまうことはなく、従って、かかる案内壁７３により前記連結作業は、より容易に行ない得ることとなる。
　【００４３】
　次に、図６の状態に保持されたリンク部材４７の係止棒５３とキートップ４１の係止溝４４とを対向させ、また、リンク部材４８の係止ピン６３、６４とキートップ４１の係止溝４５とを対向させた後（図７参照）、キートップ４１を軽く下方に押下する。これにより、リンク部材４７の係止棒５３は係止案内部４４Ａにより案内されつつ係止溝４４内にスナップインされ、同時に、リンク部材４８の各係止ピン６３、６４は係止案内部４５Ａにより案内されつつ係止溝４５内にスナップインされる。かかる状態が図８に示されている。これにより、案内支持部材４６とキートップ４１との連結が終了する。このとき、前記したように、係止部４２側でキートップ４１の上下幅は大きくされていることに基づき、各樹脂片４４Ｂの長さを大きくすることが可能となり、また、係止溝４４上部に切り込み部４４Ｃが形成されていることから、各樹脂片４４Ｃの長さを大きくできることとも相まって切り込み部４４Ｃに基づき各樹脂片４４の樹脂弾性を大きくすることができる。従って、第１リンク部材４７の係止棒５３をキートップ４１の係止部４２における係止溝４４に回動係止するに際して、各樹脂片４４Ｃが有する大きな樹脂弾性を利用して、簡単且つ確実に回動係止することが可能となる。
　【００４４】
　このように、リンク部材４７の係止棒５３とキートップ４１の係止溝４４との連結、及び、リンク部材４８の各係止ピン６３、６４とキートップ４１の係止溝４５との連結は、図７に示す状態からキートップ４１を軽く下方に押下するのみによってなされるので、案内支持部材４６とキートップ４１との連結が極めて簡単に行ない得るものである。
　【００４５】
　前記の作業をもってキースイッチ装置の組立が終了するが、各リンク部材４７、４８とホルダプレート６５及びキートップ４１との連結作業は、いずれも極めて簡単に行ない得、これにより、キースイッチ装置の組立作業を簡便化して組立時間の短縮を可能とするとともに、作業者の組立能力如何に拘らず確実にキースイッチ装置の組立がなされ得るものである。
　【００４６】
　続いて、前記のように組み立てられたキースイッチ装置の動作について説明する。キートップ４１を下方に押下すると、キートップ４１が下方へ移動するに伴って、リンク部材４７の係止棒５３は係止部４２の係止孔４４内で反時計方向に回動するとともに、リンク部材４８の係止ピン６３、６４は係止部４３の係止溝４５内で水平方向（図１における右方向）に摺動する。これと同時に、リンク部材４８の係止棒６１はホルダプレート６５における係止部６７の摺動溝６９内で係止突起６９Ａとの協働により時計方向に回動するとともに、リンク部材４７の係止ピン５５、５６は係止部６６の摺動溝６８内で水平方向（図１における右方向）に摺動する。
　【００４７】
　かかるキートップ４１の押下時、案内支持部材４６は各案内壁７３間で図４における左右方向への規制がなされるので、キートップ４１が不必要にがたつくことが防止される。
　【００４８】
　この結果、リンク部材４７及びリンク部材４８を相互に軸支する軸支部Ａは、下方に移動するとともにラバースプリング７１を徐々に押下していき、その押下量が一定の限度を超えた時点でラバースプリング７１は挫屈される。これにより、ラバースプリング７１内の可動電極７１Ａがフレキシブル回路基板７０上のスイッチ電極７０Ａを短絡し所定のスイッチング動作が行なわれる。
　【００４９】
　キートップ４１の押下を解除すると、両リンク部材４７、４８の軸支部Ａはラバースプリング７１の弾性復元力により上方に押し上げられる。これに伴って、前記リンク部材４７の係止棒５３、係止ピン５５、５６、及び、リンク部材４８の係止棒６１、係止ピン６３、６４は前記したのと逆の動作を行ない、この結果、キートップ４１は元の位置に復帰される。
　【００５０】
　ここに、各係止棒５３、６１は水平方向には移動されることなく、それぞれ係止溝４４及び摺動溝６９内で回動するのみであるので、キートップ４１は水平方向に移動されることなくキートップ１のキー面の水平状態を保持したまま上下動されるものである。
　【００５１】
　以上詳細に説明した通り本実施例に係るキースイッチ装置では、キースイッチ装置の組立の際に、リンク部材４７の係止ピン５５、５６、及び、リンク部材４８の係止棒６１を各係止部６６、６７における摺動溝６８、６９の開放側から各案内壁７３により案内させながら、ホルダプレート６５上で各摺動溝６８、６９内に向かってスライドさせるとともに、リンク部材４８の係止棒６１が摺動溝６９内に形成された係止突起６９Ａを乗り越えるまでスライドさせることにより、案内支持部材４６とホルダプレート６５との連結が行なわれるので、案内支持部材４６とホルダプレート６５との連結作業を極めて簡単にすることができる。
　【００５２】
　特に、案内支持部材４６のスライド時に、かかる案内支持部材４６は、各案内壁７３により各摺動溝６８、６９に向かって確実に案内されるので、案内支持部材４６が各摺動溝６８、６９から外れてしまうことはなく、従って、かかる案内壁７３により前記連結作業は、より容易に行ない得ることとなる。
　【００５３】
　また、案内支持部材４６とキートップ４１との連結を行なう際には、リンク部材４７の係止棒５３とキートップ４１の係止溝４４とを対向させ、また、リンク部材４８の係止ピン６３、６４とキートップ４１の係止溝４５とを対向させた後、キートップ４１を軽く下方に押下することにより、リンク部材４７の係止棒５３は係止案内部４４Ａにより案内されつつ係止溝４４内にスナップインされ、同時に、リンク部材４８の各係止ピン６３、６４は係止案内部４５Ａにより案内されつつ係止溝４５内にスナップインされるので、案内支持部材４６とキートップ４１との連結が極めて簡単に行ない得るものである。特に、係止部４２側でキートップ４１の上下幅は大きくされていることに基づき、各樹脂片４４Ｂの長さを大きくすることが可能となり、また、係止溝４４上部に切り込み部４４Ｃが形成されていることから、各樹脂片４４Ｃの長さを大きくできることとも相まって切り込み部４４Ｃに基づき各樹脂片４４の樹脂弾性を大きくすることができるので、第１リンク部材４７の係止棒５３をキートップ４１の係止部４２における係止溝４４に回動係止するに際して、各樹脂片４４Ｃが有する大きな樹脂弾性を利用して、簡単且つ確実に回動係止することができるものである。
　【００５４】
　更に、前記のように簡単な組立作業により組み立てられたキースイッチ装置では、リンク部材４７の係止棒５３は係止部４２の係止溝４４内で移動することなく回動可能に保持されるとともに、リンク部材４８の係止棒６１は摺動溝６９内で係止突起６９Ａとの協働により移動することなく回動可能に保持され、また、案内支持部材４６は一対の各案内壁７３間で移動が規制されており、これにより、キートップ４１はそのキー操作時において前後左右のいずれの方向に対しても移動されることが防止される。この結果、キー操作性を格段に向上することができる。
　【００５５】
　尚、本発明は前記実施例に限定されるものではなく、本発明の要旨を逸脱しない範囲内で種々の改良、変形が可能であることは勿論である。例えば、前記実施例では係止部６７の摺動溝６９内に係止突起６９Ａを形成するようにしているが、かかる係止突起は係止部６６の摺動溝６８内に形成するようにしてもよい。
　【００５６】
　【発明の効果】
　以上説明した通り本発明に係るキースイッチ装置によれば、案内支持部材を構成するリンク部材のうち第１リンク部材の上側の係止部材を回動可能に係止するために、キートップの裏面に形成された第１係止部を、係止溝を有する樹脂片から構成し、切り込み部を形成することにより、その樹脂片の樹脂弾性を大きくすることができ、リンク部材の上側の係止部材をキートップの係止部に対して、簡単且つ確実に回動可能に係止することが可能となる。
【図面の簡単な説明】
　【図１】
　キースイッチ装置の縦断面図である。
　【図２】
　一方のリンク部材の平面図である。
　【図３】
　他方のリンク部材の平面図である。
　【図４】
　キースイッチ装置の横断面図である。
　【図５】
　案内支持部材をホルダプレートに連結する前の状態を示す説明図である。
　【図６】
　案内支持部材をホルダプレートに連結した後の状態を示す説明図である。
　【図７】
　ホルダプレートに連結した案内支持部材上にキートップを配置した状態を示す説明図である。
　【図８】
　ホルダプレートに連結した案内支持部材にキートップを連結した状態を示す説明図である。
　【図９】
　従来のキースイッチ装置の縦断面図である。
　【図１０】
　従来のキースイッチ装置に使用される一方のリンク部材の平面図である。
　【図１１】
　従来のキースイッチ装置に使用される他方のリンク部材の平面図である。
　【符号の説明】
　４１　　　　　　　　　　　キートップ
　４２、４３、６６、６７　　係止部（第１係止部乃至第４係止部）
　４４、４５　　　　　　　　係止溝
　４４Ａ、４５Ａ　　　　　　係止案内部
　４４Ｂ　　　　　　　　　　樹脂片
　４４Ｃ　　　　　　　　　　切り込み部
　４６　　　　　　　　　　　案内支持部材
　４７　　　　　　　　　　　リンク部材（第１リンク部材）
　４８　　　　　　　　　　　リンク部材（第２リンク部材）
　５５、５６、６３、６４　　係止ピン（第１係止部材乃至第４係止部材）
　６５　　　　　　　　　　　ホルダプレート（ホルダ部材）
　６８、６９　　　　　　　　摺動溝
　６９Ａ　　　　　　　　　　係止突起
　７１　　　　　　　　　　　ラバースプリング（スイッチング部材）